(57)【要約】【課題】優れた操作性を具備したコンパクト容器を提供する。【解決手段】内容物が収容される収容部１２を備える容器本体１１と、収容部を開放可能に閉塞する蓋体３１と、容器本体及び蓋体の後端部同士を連結したヒンジ部３０と、容器本体と蓋体との間に配置された中敷シート５１とを備えるコンパクト容器１であって、中敷シートは、収容部を覆う本体部５２と、容器本体の後端部と蓋体の後端部との間に配設された固定部５３と、本体部の後端部と固定部とを連結した連結部５４とを備え、本体部は、連結部回りに上方に向けて回動可能であり、固定部には、容器本体の後端部から後方に向けて突出する係止突部１７に係止可能な被係止部６３と、被係止部よりも下方に配置されるとともに容器本体の後端部の外面から後方に離れた操作部６５とが形成され、蓋体は、上方に向けてヒンジ部回りに回動したときに蓋体の後端部の外面が操作部を前方に向けて押込み可能である。【選択図】図１
2018068777.tif 000002
【特許請求の範囲】
【請求項１】
内容物が収容される収容部を備える容器本体と、
前記収容部を開放可能に閉塞する蓋体と、
前記容器本体および前記蓋体それぞれの後端部同士を連結したヒンジ部と、
前記容器本体と前記蓋体との間に配置された中敷シートと、を備えるコンパクト容器であって、
前記中敷シートは、
前記収容部を覆う本体部と、
前記容器本体の後端部の外面と前記蓋体の後端部の内面との間に配設された固定部と、
前記本体部の後端部と前記固定部とを連結した連結部と、を備え、
前記本体部は、前記連結部回りに上方に向けて回動可能に配設され、
前記固定部には、前記容器本体の後端部から後方に向けて突出する係止突部に係止可能な被係止部と、前記被係止部よりも下方に配置されるとともに前記容器本体の後端部の外面から後方に離れた操作部と、が形成され、
前記蓋体は、上方に向けてヒンジ部回りに回動したときに、前記蓋体の後端部の外面が前記操作部を前方に向けて押込み可能に配設されていることを特徴とするコンパクト容器。
【請求項２】
前記容器本体の前記係止突部は、前記ヒンジ部の回転中心よりも上方に位置していることを特徴とする請求項１に記載のコンパクト容器。
【発明の詳細な説明】
【技術分野】
【０００１】
本発明は、コンパクト容器に関する。
【背景技術】
【０００２】
従来、例えば、特許文献１に示されるように、内容物が収容される収容部を備える容器本体と、収容部を開放可能に閉塞する蓋体と、容器本体および蓋体それぞれの後端部同士を連結したヒンジ部と、を備えるコンパクト容器が知られている。
このコンパクト容器では、中敷シートは、収容部を上方から覆うとともに、後端部が容器本体の後端部に固定されている。また、中敷シートは、後端部回りに上方に向けて回動可能に配設されている。
【先行技術文献】
【特許文献】
【０００３】
【特許文献１】特開２０１３−９０８７３号公報
【発明の概要】
【発明が解決しようとする課題】
【０００４】
しかしながら、前記従来のコンパクト容器では、操作性に改善の余地があった。
【０００５】
本発明は、このような問題点に鑑みてなされたものであって、優れた操作性を有するコンパクト容器を提供することを目的とする。
【課題を解決するための手段】
【０００６】
上記課題を解決するために、この発明は以下の手段を提案している。
本発明のコンパクト容器は、内容物が収容される収容部を備える容器本体と、前記収容部を開放可能に閉塞する蓋体と、前記容器本体および前記蓋体それぞれの後端部同士を連結したヒンジ部と、前記容器本体と前記蓋体との間に配置された中敷シートと、を備えるコンパクト容器であって、前記中敷シートは、前記収容部を覆う本体部と、前記容器本体の後端部の外面と前記蓋体の後端部の内面との間に配設された固定部と、前記本体部の後端部と前記固定部とを連結した連結部と、を備え、前記本体部は、前記連結部回りに上方に向けて回動可能に配設され、前記固定部には、前記容器本体の後端部から後方に向けて突出する係止突部に係止可能な被係止部と、前記被係止部よりも下方に配置されるとともに前記容器本体の後端部の外面から後方に離れた操作部と、が形成され、前記蓋体は、上方に向けてヒンジ部回りに回動したときに、前記蓋体の後端部の外面が前記操作部を前方に向けて押込み可能に配設されていることを特徴としている。
【０００７】
この発明によれば、蓋体をヒンジ部回りに上方に向けて回動したときに、蓋体の後端部の外面が操作部を前方に向けて押込むので、この蓋体の回動時に、中敷シートが、固定部の被係止部回りに上方に向けて回動させられることとなり、中敷シートにおける本体部の前端部を、容器本体に対して上昇させることが可能になる。したがって、蓋体を開いた状態で、本体部の前端部と容器本体の前端部との間に上下方向の隙間を形成する、若しくはこの隙間を拡げることが可能になり、本体部の前端部を摘まむ等することで、本体部を連結部回りに上方に向けて容易に回動させることができる。
【０００８】
また、上記のコンパクト容器において、前記容器本体の前記係止突部は、前記ヒンジ部の回転中心よりも上方に位置してもよい。
この発明によれば、蓋体により前方に向けて押込まれる操作部と、容器本体の係止突部と、の上下方向の距離を確保することが可能になり、蓋体を開いたときに、中敷シートを、少ない力で円滑に、固定部の被係止部回りに上方に向けて回動させることができる。
【発明の効果】
【０００９】
本発明のコンパクト容器によれば、優れた操作性を具備させることができる。
【図面の簡単な説明】
【００１０】
【図１】本発明の第１実施形態のコンパクト容器の側面の断面図である。
【図２】同コンパクト容器の中敷シートを展開した上面図である。
【図３】本発明の第２実施形態のコンパクト容器の側面の断面図である。
【図４】同コンパクト容器の蓋体を取外した状態における要部の背面図である。
【図５】同コンパクト容器の中敷シートにおける要部の背面図である。
【図６】図５中のＶＩ−ＶＩ線に相当する断面図である。
【図７】本発明の第３実施形態のコンパクト容器の側面の断面図である。
【図８】同コンパクト容器の中敷シートを展開した上面図である。
【発明を実施するための形態】
【００１１】
（第１実施形態）
以下、本発明に係るコンパクト容器の第１実施形態を、図１および図２を参照しながら説明する。
図１に示すように、本実施形態のコンパクト容器１は、被収容体４６が収容される収容部１２を備える容器本体１１と、収容部１２を開放可能に閉塞する蓋体３１と、容器本体１１および蓋体３１それぞれの外周縁部の一部同士を連結したヒンジ部３０と、容器本体１１と蓋体３１との間に配置された中敷シート５１と、を備えている。
容器本体１１は、円板状の底壁部１１ａと、底壁部１１ａの外縁部から上方に向かって延びる周壁部１１ｂと、を有する有底筒状に形成されている。この容器本体１１の内側が、被収容体４６が収容される収容部１２となっている。蓋体３１は、円板状の天壁部３１ａと、天壁部３１ａの外縁部から下方に向かって延びる周壁部３１ｂと、を有する有頂筒状に形成されている。
【００１２】
容器本体１１および蓋体３１それぞれの中心軸線は、共通軸と同軸に配置されている。以下、この共通軸に沿う容器本体１１に対する蓋体３１側を上方という。同様に、この共通軸に沿う蓋体３１に対する容器本体１１の底壁部１１ａ側を下方という。この共通軸に沿う上下方向から見て、共通軸に直交する方向を径方向といい、共通軸周りに周回する方向を周方向という。
また、ヒンジ部３０の回転中心（以下、ヒンジ軸という）Ｃは、ヒンジ部３０が蓋体３１を容器本体１１に対して上下方向に回動させるように、上下方向に直交する水平方向に沿って延びている。以下、ヒンジ軸Ｃに沿う方向をヒンジ軸方向といい、上面視において、ヒンジ軸方向と直交する方向を前後方向という。また、前後方向に沿うコンパクト容器１のヒンジ部３０側を後方、その反対側を前方という。
【００１３】
容器本体１１の底壁部１１ａには、外部からピン等を差し込むための貫通孔１３が形成されている。貫通孔１３の下端開口部から挿入したピン等により、収容部１２内の被収容体４６を上方に向けて押し出すことで、被収容体４６が収容部１２内から容易に取り出される。
本実施形態では、被収容体４６は、例えば粉状の化粧品等の内容物が充填された中皿となっている。被収容体４６は、偏平な有底筒状に形成されている。
【００１４】
容器本体１１の周壁部１１ｂにおける後端部の外周面には、後方に向けて開口する後方切欠き１５が上下方向の全域にわたって形成されている。後方切欠き１５を画成する内面のうち、ヒンジ軸方向で互いに対向する一対の内側面における前端部に、上方に向けて開口する不図示の収納溝が各別に形成されている。これらの内側面には、ヒンジ軸Ｃと同軸に配置されるとともに、容器本体１１をヒンジ軸方向に貫通する横孔１５ｂが各別に開口している。
【００１５】
後方切欠き１５を画成する内面のうち、後方を向く底面には、後方に向けて突出する係止突部１７が形成されている。係止突部１７は、ヒンジ軸Ｃよりも上方に位置している。
なお、後方切欠き１５の底面に形成される係止突部１７の数に制限はなく、後方切欠き１５に複数の係止突部１７が形成されてもよい。
【００１６】
容器本体１１の周壁部１１ｂにおける前端部の外周面には、前方および上方に向けて開口する前方切欠き１９が形成されている。前方切欠き１９を画成する内面のうち、前方を向く外面には、前方に向けて突出する前方突部２０が形成されている。
容器本体１１は、例えば合成樹脂材料等で一体に形成されている。
【００１７】
蓋体３１の周壁部３１ｂの後端部には、下方に向けて突出するヒンジ脚部３３が形成されている。ヒンジ脚部３３の下端部には、ヒンジ軸方向に貫通する横孔３４が形成されている。この横孔３４、および容器本体１１の横孔１５ｂに連結ピン４１が一体に挿入されることで、蓋体３１を容器本体１１に対してヒンジ軸Ｃ周りに回動自在とするヒンジ部３０が構成されている。
周壁部３１ｂの前端部には、下方に向けて突出する張出部３５が設けられている。張出部３５の前面は、周壁部３１ｂの外周面よりも後方に凹んでいる。張出部３５の後面には、後方に向けて突出する突部３６が設けられている。
蓋体３１が容器本体１１の収容部１２を閉塞した状態では、蓋体３１の突部３６が、容器本体１１の前方突部２０に前方突部２０の下方から係止される。
蓋体３１は、例えば合成樹脂材料等により一体に形成されている。
【００１８】
図１および図２に示すように、中敷シート５１は、容器本体１１の収容部１２を覆う本体部５２と、容器本体１１の後端部の外面と蓋体３１の後端部の内面との間に配設された固定部５３と、本体部５２の後端部と固定部５３とを連結した連結部５４と、を備えている。
本体部５２は、円板状の底板５２ａと、底板５２ａの外縁部から上方に向かって延びる筒板５２ｂと、を有する有底筒状に形成されている。筒板５２ｂの上端部には、径方向外方に向けて突出するフランジ５２ｃが形成されている。
フランジ５２ｃは、筒板５２ｂの全周にわたって形成されている。フランジ５２ｃの前端部に、上面視でヒンジ軸方向に長い長方形状を呈する摘み部５２ｄが形成されている。
【００１９】
固定部５３は、本体部５２の後端部から下方に向けて延びる幅広部５７と、幅広部５７の下端部から下方に向けて延びる幅狭部５８と、を備えている。幅広部５７は、後方から見てヒンジ軸方向に長い長方形状を呈する。幅狭部５８は、後方から見て幅広部５７よりヒンジ軸方向の長さが短い矩形状に形成されている。幅広部５７および幅狭部５８それぞれのヒンジ軸方向の中央部は互いに一致している。
【００２０】
幅広部５７の中央部には、後方から見てヒンジ軸方向に長い長方形状を呈する窪み部６０が形成されている。窪み部６０のうち、後方を向く外面が前方に向けて窪み、かつ前方を向く内面が前方に向けて突出している。
幅狭部５８の中央部には、後方から見て下方に向けて開口するＣ字状を呈する窓孔６１が形成されている。幅狭部５８における窓孔６１で囲われた部分が舌片６２である。舌片６２は、上方に向かう従い漸次、前方に向けて延びている。舌片６２の上端部は、幅狭部５８のなかで最も前方に位置している。
固定部５３の内面のうち、窪み部６０の下端部と舌片６２の上端部との間に位置する部分が、係止突部１７に対して上下方向に係止可能な被係止部６３を構成する。
幅狭部５８の下端部には、幅狭部５８よりも後方に向けて突出した操作部６５が形成されている。操作部６５は、被係止部６３よりも下方に配置される。操作部６５は、表裏面が前後方向を向く板状に形成され、後方から見てヒンジ軸方向に長い長方形状を呈する。
【００２１】
連結部５４には、貫通孔６６が形成されている。貫通孔６６は、ヒンジ軸方向に延びる長孔状に形成されている。貫通孔６６の内周面のうち、ヒンジ軸方向に延びる一対の長内面同士の間には、短手方向の隙間が設けられている。
連結部５４に貫通孔６６が形成されていることで、本体部５２を、固定部５３に対して連結部５４回りに上下方向に回動する際に、連結部５４のなかで折り曲げられる位置が安定する。
【００２２】
このように構成された中敷シート５１は、本体部５２の底板５２ａが被収容体４６の上方に配置されるとともに、フランジ５２ｃが容器本体１１の周壁部１１ｂの上方に配置される。フランジ５２ｃと周壁部１１ｂとの間には、上下方向に隙間が設けられている。なお、フランジ５２ｃと周壁部１１ｂとは、上下方向に接触していてもよい。
本体部５２の底板５２ａ上には、例えば化粧料等の内容物を被塗布部に塗布するための図示しないパフやブラシ等の塗布具が収容される。
【００２３】
固定部５３の幅広部５７のヒンジ軸方向の端部が、容器本体１１の後方切欠き１５に形成された前記収納溝に挿入される。
固定部５３の幅狭部５８が、後方切欠き１５の底面と、ヒンジ脚部３３のうち、前方を向く内面と、の間に配設される。係止突部１７の上方に窪み部６０が配置されるとともに、係止突部１７の下方に舌片６２が配置される。すなわち、窪み部６０は、係止突部１７に係止突部１７の上方から係合する。舌片６２は、係止突部１７に係止突部１７の下方から係合する。舌片６２は、容器本体１１に対して固定部５３が上方に抜けるのを防止する。
操作部６５は、容器本体１１の後端部の外面から後方に離れている。このため、操作部６５を前方に向けて押込むことができる。なお図示の例では、操作部６５は、後方切欠き１５の底面から後方に離れている。
【００２４】
次に、以上のように構成されたコンパクト容器１の動作について説明する。
蓋体３１の前端部を引き上げ、蓋体３１を、ヒンジ軸Ｃ回りに上方に向けて回動し、蓋体３１の突部３６を、容器本体１１の前方突部２０を上方に乗り越えさせ、突部３６と前方突部２０との係合を解除しつつ、図１に二点鎖線で示されるように、蓋体３１における周壁部３１ｂの後端部の外周面が、前方を向く姿勢になるまで回動させ、収容部１２を開放させる。この際、蓋体３１のヒンジ脚部３３の外面が、操作部６５を前方に向けて押込む。これにより、中敷シート５１が、固定部５３の被係止部６３回りに上方に向けて回動し、中敷シート５１における本体部５２の前端部が、容器本体１１に対して上昇することで、中敷シート５１の摘み部５２ｄと、容器本体１１の周壁部１１ｂの上端開口縁と、の間の上下方向の隙間が拡げられる。
その後、中敷シート５１の本体部５２上から塗布具を取出すとともに、中敷シート５１の摘み部５２ｄを手で摘み、本体部５２を上方に向けて連結部５４回りに回動する。そして、被収容体４６に充填された内容物を塗布具に付着させ、内容物を被塗布部に塗布する。
【００２５】
以上説明したように、本実施形態のコンパクト容器１によれば、蓋体３１をヒンジ軸Ｃ回りに上方に向けて回動したときに、蓋体３１の後端部の外面が操作部６５を前方に向けて押込むので、この蓋体３１の回動時に、中敷シート５１が、固定部５３の被係止部６３回りに上方に向けて回動させられることとなり、中敷シート５１における本体部５２の前端部を、容器本体１１に対して上昇させることが可能になる。
したがって、蓋体３１を開いた状態で、本体部５２の前端部と容器本体１１の前端部との間の上下方向の隙間を拡げることが可能になる。本体部５２の前端部に設けられた摘み部５２ｄを摘まむ等することで、本体部５２を連結部５４回りに上方に向けて容易に回動させることができる。これにより、コンパクト容器１の操作性を改善することができる。
【００２６】
また、容器本体１１の係止突部１７は、ヒンジ軸Ｃよりも上方に位置している。このため、蓋体３１により前方に向けて押込まれる操作部６５と、容器本体１１の係止突部１７と、の上下方向の距離を確保することが可能になり、蓋体３１を開いたときに、中敷シート５１を、少ない力で円滑に、固定部５３の被係止部６３回りに上方に向けて回動させることができる。
また、連結部５４の貫通孔６６に短手方向の隙間が設けられているため、固定部５３に対して本体部５２が回動するときに、貫通孔６６の一対の長内面同士が引っ掛かるのを抑制することが可能になり、本体部５２の回動をスムーズに行うことができる。
【００２７】
（第２実施形態）
次に、本発明の第２実施形態について図３から図６を参照しながら説明するが、前記実施形態と同一の部位には同一の符号を付してその説明は省略し、異なる点についてのみ説明する。
図３および図４に示すように、本実施形態のコンパクト容器２は、第１実施形態のコンパクト容器１の中敷シート５１に代えて、中敷シート７１を備えている。中敷シート７１は、中敷シート５１の固定部５３に代えて、固定部７２を有している。なお、図４においては、蓋体３１を二点鎖線で示している。
【００２８】
図３、図５、および図６に示すように、本実施形態の固定部７２は、本体部５２の後端部から下方に向けて延びる幅広部７３と、幅広部７３の下端部から下方に向けて延びる幅狭部７４と、を備えている。なお、図３における固定部７２の断面形状は、図５中のＩＩＩ−ＩＩＩ線に相当する断面図である。
幅広部７３、幅狭部７４は、前述の幅広部５７、幅狭部５８と同様に形成されている。
【００２９】
幅狭部７４は、上端部に設けられた傾斜部７６と、傾斜部７６の下端部から下方に延びる第１張出突部７７と、下端部に設けられた前述の操作部６５と、第１張出突部７７と操作部６５とを連結する第２連結部７８と、を有する。
傾斜部７６は、下方に向かうにしたがい漸次、後方に向けて延びている。
第１張出突部７７は、表裏面が前後方向を向く板状に形成され、後方から見てヒンジ軸方向に長い長方形状を呈する。
傾斜部７６におけるヒンジ軸方向の中央部には、第２張出突部７９が形成されている。第２張出突部７９の後方を向く外面は、第１張出突部７７の後方を向く外面と面一である。第２張出突部７９は、表裏面が前後方向を向く板状に形成され、後方から見てヒンジ軸方向に長い長方形状を呈する。
第２連結部７８は、前方を向く内面が前方に向けて突出し、かつ後方を向く外面が前方に向けて窪む曲面状をなしている。第２連結部７８は、後方から見てヒンジ軸方向に長い長方形状を呈する。
なお、図３に示すように、固定部７２の内面のうち、傾斜部７６の下端部と第２連結部７８の上端部との間に位置する部分が、係止突部１７に対して上下方向に係止可能な被係止部８０を構成する。
操作部６５は、固定部７２のなかで最も後方に位置している。
【００３０】
幅広部７３は、傾斜部７６の上端部から上方に延びる基部８１と、基部８１のヒンジ軸方向の中央部に形成された第３張出突部８２と、を有する。第３張出突部８２は、表裏面が前後方向を向く板状に形成され、後方から見て、２辺がヒンジ軸方向に延び、かつ残りの２辺が上下方向に延びる矩形状を呈する。第３張出突部８２および第２張出突部７９それぞれのヒンジ軸方向の大きさは互いに同等になっている。第３張出突部８２の下端は、第２張出突部７９の上端と連なり、それぞれのヒンジ軸方向中央部は互いに一致している。第３張出突部８２の後方を向く外面は、第２張出突部７９の後方を向く外面と面一である。第３張出突部８２の上端は、基部８１の上部まで延びている。
【００３１】
図４に示されるように、容器本体１１の後方切欠き１５を画成する内面のうち、ヒンジ軸方向で互いに対向する一対の内側面における前端部に、上方に向けて開口する収納溝１５ａが各別に形成されている。
中敷シート７１は、固定部７２の幅広部７３のヒンジ軸方向の端部が、容器本体１１の収納溝１５ａにそれぞれ挿入される。幅狭部７４が、後方切欠き１５の底面とヒンジ脚部３３の内面との間に配設される。
係止突部１７の下方に第２連結部７８が配置され、かつ係止突部１７の上方に傾斜部７６が配置される。第２連結部７８は、係止突部１７に係止突部１７の下方から係合し、傾斜部７６は、係止突部１７のヒンジ軸方向両端部に係止突部１７の上方から係合する。第２連結部７８は、容器本体１１に対して固定部７２が上方に抜けるのを防止する。
【００３２】
以上のように構成されたコンパクト容器２によっても、前記実施形態と同様に、蓋体３１がヒンジ軸Ｃ回りに回動されると、ヒンジ脚部３３の外面が操作部６５を前方に向けて押込む。これにより、中敷シート７１が、固定部７２の被係止部８０回りに上方に向けて回動し、中敷シート７１における本体部５２の前端部が、容器本体１１に対して上昇することで、中敷シート７１の摘み部５２ｄと、容器本体１１の周壁部１１ｂの上端開口縁と、の間の上下方向の隙間が拡げられる。
【００３３】
（第３実施形態）
次に、本発明の第３実施形態について図７および図８を参照しながら説明するが、前記実施形態と同一の部位には同一の符号を付してその説明は省略し、異なる点についてのみ説明する。
図７および図８に示すように、本実施形態のコンパクト容器３は、第１実施形態のコンパクト容器１の中敷シート５１に代えて、中敷シート９１を備えている。中敷シート９１は、中敷シート５１の固定部５３および連結部５４に代えて、固定部９２および連結部９３を有している。
【００３４】
本実施形態の固定部９２は、前述の幅広部５７と、幅広部５７の下端部から下方に向けて延びる幅狭部９５と、を備えている。幅狭部９５は、前述の幅狭部５８と同様に形成されている。
幅狭部９５には、後方から見て上下方向に長い長方形状を呈する第２窪み部９６が、ヒンジ軸方向に間隔をあけて２つ形成されている。第２窪み部９６のうち、後方を向く外面が前方に向けて窪み、かつ前方を向く内面が前方に向けて突出している。
幅狭部９５の下端部には、操作部９７が設けられている。操作部９７は、固定部９２のなかで最も後方に位置している。操作部９７は、後方に向けて突の曲面状に形成されている。
なお、図７に示すように、固定部９２の内面のうち、窪み部６０の下端部と第２窪み部９６の上端部との間に位置する部分が、係止突部１７に対して上下方向に係止可能な被係止部９８を構成する。図８に示すように、連結部９３におけるヒンジ軸方向の中央部に、ヒンジ軸方向に延びるスリット１００が形成されている。
【００３５】
このように構成された中敷シート９１は、固定部９２の幅広部５７のヒンジ軸方向の端部が、容器本体１１の後方切欠き１５に形成された前記収納溝に挿入される。幅狭部９５が、後方切欠き１５の底面とヒンジ脚部３３の内面との間に配設される。
係止突部１７の上方に窪み部６０が配置され、かつ係止突部１７の下方に第２窪み部９６が配置される。窪み部６０は、係止突部１７のヒンジ軸方向中央部に係止突部１７の上方から係合し、第２窪み部９６は、係止突部１７のヒンジ軸方向両端部に係止突部１７の下方から係合する。第２窪み部９６は、容器本体１１に対して固定部９２が上方に抜けるのを防止する。
【００３６】
以上のように構成されたコンパクト容器３によっても、前記実施形態と同様に、蓋体３１がヒンジ軸Ｃ回りに回動されると、ヒンジ脚部３３の外面が操作部９７を前方に向けて押込む。これにより、中敷シート９１が、固定部９２の被係止部９８回りに上方に向けて回動し、中敷シート９１における本体部５２の前端部が、容器本体１１に対して上昇することで、中敷シート９１の摘み部５２ｄと、容器本体１１の周壁部１１ｂの上端開口縁と、の間の上下方向の隙間が拡げられる。
【００３７】
以上、本発明の第１実施形態から第３実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態から第３実施形態では、容器本体１１の収容部１２に収容する被収容体４６として、内容物が充填された中皿を示したが、塗布具等であってもよい。
容器本体１１の係止突部１７は、ヒンジ軸Ｃよりも下方に位置させてもよいし、ヒンジ軸Ｃと同等の上下方向位置に配置してもよい。
【符号の説明】
【００３８】
１、２、３  コンパクト容器
１１  容器本体
１２  収容部
１７  係止突部
３０  ヒンジ部
３１  蓋体
５１、７１、９１  中敷シート
５２  本体部
５３、７２、９２  固定部
５４、９３  連結部
６３、８０  被係止部
６５、９７  操作部
Ｃ    ヒンジ軸（回転中心）
【図１】
2018068777.tif 000003
【図２】
2018068777.tif 000004
【図３】
2018068777.tif 000005
【図４】
2018068777.tif 000006
【図５】
2018068777.tif 000007
【図６】
2018068777.tif 000008
【図７】
2018068777.tif 000009
【図８】
2018068777.tif 000010